(57)【特許請求の範囲】
【請求項１】
ファンの前方に位置しているユーザの走行経路を取得するステップと、
前記走行経路に基づいて前記ファンをスイッチングするように制御するステップと、を含み、
前記ファンの前方に位置しているユーザの走行経路を取得するステップは、
ファンに設置された、複数の赤外線センサを含む赤外線マトリックスセンサによって、前記ファンに対応する送風領域を複数の領域にマトリクス状に分割して、前記送風領域内赤外線放射量の変化情況を取得するステップと、
前記変化情況に基づいて前記走行経路を形成するステップと、を含み、
前記変化情況に基づいて前記走行経路を形成するステップは、
前記赤外線マトリックスセンサの総赤外線放射量が、前記複数の赤外線センサのそれぞれの赤外線放射量が第１の方向に沿って徐々に変化することにより、予め設定された放射量閾値未満になるまで徐々に減少したことが検出された場合、第１の走行経路を形成し、前記第１の方向は、前記ユーザが位置している現在の位置から前記送風領域外への方向であるステップを含み、
前記第１の走行経路は、前記ユーザが前記ファンから離れる走行経路である、
ことを特徴とするファンのスイッチング制御方法。
【請求項２】
形成された走行経路が前記第１の走行経路である場合、前記走行経路に基づいて前記ファンをスイッチングするように制御するステップは、
前記総赤外線放射量が前記放射量閾値未満に維持される時間が予め設定された第１の時間閾値を越えたと判断された場合、前記ファンをスイッチオフするように制御するステップを含む、
ことを特徴とする請求項１に記載のファンのスイッチング制御方法。
【請求項３】
ファンの前方に位置しているユーザの走行経路を取得するステップと、
前記走行経路に基づいて前記ファンをスイッチングするように制御するステップと、を含み、
前記ファンの前方に位置しているユーザの走行経路を取得するステップは、
ファンに設置された、複数の赤外線センサを含む赤外線マトリックスセンサによって、前記ファンに対応する送風領域を複数の領域にマトリクス状に分割して、前記送風領域内赤外線放射量の変化情況を取得するステップと、
前記変化情況に基づいて前記走行経路を形成するステップと、を含み、
前記変化情況に基づいて前記走行経路を形成するステップは、
前記赤外線マトリックスセンサの総赤外線放射量が、前記複数の赤外線センサのそれぞれの赤外線放射量が第２の方向に沿って徐々に変化することにより、徐々に増加し、且つ、予め設定された放射量閾値以上であることが検出された場合、第２の走行経路を形成し、前記第２の方向は、前記送風領域外から前記送風領域内の指定領域への方向であるステップを含み、
前記第２の走行経路は、前記ユーザが前記ファンに近づく走行経路である、
ことを特徴とするファンのスイッチング制御方法。
【請求項４】
形成された走行経路が第２の走行経路である場合、前記走行経路に基づいて前記ファンをスイッチングするように制御するステップは、
前記総赤外線放射量が前記放射量閾値を越えて維持される時間が予め設定された第２の時間閾値を越えたと判断された場合、前記ファンをスイッチオンするように制御するステップを含む、
ことを特徴とする請求項３に記載のファンのスイッチング制御方法。
【請求項５】
前記赤外線マトリックスセンサにおけるすべての赤外線センサは、送風領域をＮ個のサブ領域に分割し、前記赤外線センサと前記サブ領域との間は一対一に対応する関係を形成し、
検出されたサブ領域からの最大赤外線放射量に対応する目標サブ領域の位置変化に基づいて、前記ユーザの走行方向を決定し、
前記目標サブ領域が、前記ユーザが位置している現在の位置に対応するサブ領域から前記送風領域の境界のサブ領域に変化した場合、前記ユーザの走行方向が第１の方向であると決定し、
前記目標サブ領域が、前記送風領域の境界のサブ領域から指定領域に対応するサブ領域に変化する場合、前記ユーザの走行方向が第２の方向であると決定する、
ことを特徴とする請求項１または３に記載のファンのスイッチング制御方法。
【請求項６】
ファンの前方に位置しているユーザの走行経路を取得する取得モジュールと、
前記走行経路に基づいて前記ファンをスイッチングするように制御する制御モジュールと、を備え、
前記取得モジュールは、
ファンに設置された、複数の赤外線センサを含む赤外線マトリックスセンサによって、前記ファンに対応する送風領域を複数の領域にマトリクス状に分割して、前記送風領域内の赤外線放射量の変化情況を取得する取得ユニットと、
前記変化情況に基づいて前記走行経路を形成する形成ユニットと、を備え、
前記形成ユニットは、前記赤外線マトリックスセンサの総赤外線放射量が、前記複数の赤外線センサのそれぞれの赤外線放射量が第１の方向に沿って徐々に変化することにより、予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れる走行経路である、
ことを特徴とするファンのスイッチング制御装置。
【請求項７】
前記制御モジュールは、形成した走行経路が前記第１の走行経路であり、且つ、前記総赤外線放射量が前記放射量閾値未満に維持される時間が予め設定された第１の時間閾値を越えたと判断された場合、前記ファンをスイッチオフするように制御する、
ことを特徴とする請求項６に記載のファンのスイッチング制御装置。
【請求項８】
ファンの前方に位置しているユーザの走行経路を取得する取得モジュールと、
前記走行経路に基づいて前記ファンをスイッチングするように制御する制御モジュールと、を備え、
前記取得モジュールは、
ファンに設置された、複数の赤外線センサを含む赤外線マトリックスセンサによって、前記ファンに対応する送風領域を複数の領域にマトリクス状に分割して、前記送風領域内の赤外線放射量の変化情況を取得する取得ユニットと、
前記変化情況に基づいて前記走行経路を形成する形成ユニットと、を備え、
前記形成ユニットは、前記赤外線マトリックスセンサの総赤外線放射量が、前記複数の赤外線センサのそれぞれの赤外線放射量が第２の方向に沿って徐々に変化することにより、徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づく走行経路である、
ことを特徴とするファンのスイッチング制御装置。
【請求項９】
前記制御モジュールは、形成した走行経路が第２の走行経路であり、且つ、前記総赤外線放射量が前記放射量閾値を越えて維持される時間が予め設定された第２の時間閾値を越えたと判断された場合、前記ファンをスイッチオンするように制御する、
ことを特徴とする請求項８に記載のファンのスイッチング制御装置。
【請求項１０】
前記形成ユニットは、さらに、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から前記送風領域の境界のサブ領域に変化した場合、前記ユーザの走行方向は第１の方向であり、前記目標サブ領域が、前記送風領域の境界のサブ領域から指定領域に対応するサブ領域に変化した場合、前記ユーザの走行方向は第２の方向であり、前記赤外線マトリックスセンサにおけるすべての赤外線センサは、前記送風領域をＮ個のサブ領域に分割し、前記赤外線センサと前記サブ領域との間は一対一に対応する関係を形成する、
ことを特徴とする請求項６または９に記載のファンのスイッチング制御装置。
【請求項１１】
ファン本体と、ベースとを備え、前記ファン本体が前記ベースに揺動可能に装着され、
前記ファン本体は、複数の赤外線センサを含む赤外線マトリックスセンサとコントローラとを含み、
前記赤外線マトリックスセンサは、前記ファンの前方に位置しているユーザが発する赤外線放射を検出し、
前記コントローラは、前記赤外線マトリックスセンサによって検出された赤外線放射量に基づいて、前記ファンに対応する送風領域を複数の領域にマトリクス状に分割して、前記送風領域内の総赤外線放射量の変化情況を取得し、前記総赤外線放射量の変化情況に基づいて、前記ファンの前方に位置しているユーザの走行経路を形成し、前記走行経路に基づいて前記ファンをスイッチングするように制御する、
ことを特徴とするファン。
【請求項１２】
前記コントローラは、前記赤外線マトリックスセンサの総赤外線放射量が、前記複数の赤外線センサのそれぞれの赤外線放射量が第１の方向に沿って徐々に変化することにより、予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れる走行経路である、
ことを特徴とする請求項１１に記載のファン。
【請求項１３】
前記コントローラは、形成した走行経路が前記第１の走行経路であり、且つ、前記総赤外線放射量が前記放射量閾値未満に維持される時間が予め設定された第１の時間閾値を越えたと判断された場合、前記ファンをスイッチオフするように制御する、
ことを特徴とする請求項１２に記載のファン。
【請求項１４】
前記コントローラは、前記赤外線マトリックスセンサの総赤外線放射量が、前記複数の赤外線センサのそれぞれの赤外線放射量が第２の方向に沿って徐々に変化することにより、徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づく走行経路である、
ことを特徴とする請求項１１に記載のファン。
【請求項１５】
前記コントローラは、形成した走行経路が第２の走行経路であり、且つ、前記総赤外線放射量が前記放射量閾値を越えて維持される時間が予め設定された第２の時間閾値を越えたと判断された場合、前記ファンをスイッチオンするように制御する、
ことを特徴とする請求項１４に記載のファン。
【請求項１６】
前記コントローラは、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から前記送風領域の境界のサブ領域に変化した場合、前記ユーザの走行方向は第１の方向であり、前記目標サブ領域が、前記送風領域の境界のサブ領域から、指定領域に対応するサブ領域に変化した場合、前記ユーザの走行方向は第２の方向であり、前記赤外線マトリックスセンサにおけるすべての赤外線センサは、前記送風領域をＮ個のサブ領域に分割し、前記赤外線センサと前記サブ領域との間は一対一に対応する関係を形成する、
ことを特徴とする請求項１２または１４に記載のファン。
【請求項１７】
メモリと、プロセッサと、メモリに記憶され、プロセッサによって実行可能なプログラムとを含み、
前記プロセッサによって請求項１〜５のいずれかに記載のファンのスイッチング制御方法を実行する、
ことを特徴とするファンのスイッチング制御装置。
【請求項１８】
実行可能なプログラムコードが記憶され、
前記実行可能なプログラムコードは、請求項１〜５のいずれかに記載のファンのスイッチング制御方法を実行する、
ことを特徴とする非一時的なコンピュータ読み取り可能な記憶媒体。
【請求項１９】
請求項１〜５のいずれかに記載のファンのスイッチング制御方法を実行することに用いられる、
ことを特徴とするコンピュータプログラム。
【発明の詳細な説明】
【技術分野】
【０００１】
本願は、スマートホームの分野に関し、特に、ファンのスイッチング制御方法、及び装置に関する。
（優先権情報）
本願は、広東美的環境電器製造有限公司および美的集団株式有限公司が２０１６年１２月２６日に出願した、発明の名称が「ファンのスイッチング制御方法、及び装置」であり、中国特許出願番号が第２０１６１１２１９５６９．２号である中国特許出願の優先権を主張する。
【背景技術】
【０００２】
人々のさまざまなニーズを満たすために、さまざまなファンが市場に登場している。たとえば、ブレードレスファンは、ユーザの快適さの要求を非常に満足し、当該タイプのファンの制御パネルは支持フレーム上に設置され、支持フレームは地面に近く、そして制御パネルの制御ボタンも比較的低い。ユーザは、ファンを制御するとき、屈んだりしゃがんだりしなければ、制御ボタンを操作することができず、操作が不便になる。
【発明の概要】
【０００３】
本願の実施例の第１の目的は、ファンのスイッチング制御方法を提供し、ユーザの走行経路に基づいてファンをスイッチングするように制御する目的を実現することによって、ファンのスイッチング制御が一層インテリジェントかつ柔軟になるようにすることにある。ユーザがもはや既存のファンの制御パネルに依存せずにファンをスイッチングするように制御することができ、既存のファンにおいて、ユーザが制御ボタンを操作するために、屈んだりしゃがんだりしなければならず、操作が不便になる課題を解決した。
【０００４】
本願の実施例の第２の目的は、ファンのスイッチング制御装置を提供することにある。
【０００５】
本願の実施例の第３の目的は、ファンを提供することにある。
【０００６】
本願の実施例の第４の目的は、他のファンのスイッチング制御装置を提供することにある。
【０００７】
本願の実施例の第５の目的は、非一時的なコンピュータ読み取り可能な記憶媒体を提供することにある。
【０００８】
本願の実施例の第６の目的は、コンピュータプログラム製品を提供することにある。
【０００９】
本願の実施例は、ファンのスイッチング制御方法を提供し、当該方法は、
【００１０】
ファンの前方に位置しているユーザの走行経路を取得するステップと、
【００１１】
前記走行経路に基づいて前記ファンをスイッチングするように制御するステップと、を含む。
【００１２】
選択可能として、前記ファンの前方に位置しているユーザの走行経路を取得するステップは、ファンに設置された赤外線マトリックスセンサによって、前記ファンに対応する送風領域内赤外線放射量の変化情況を取得するステップと、前記変化情況に基づいて前記走行経路を形成するステップと、を含む。
【００１３】
さらに、前記変化情況に基づいて前記走行経路を形成するステップは、前記赤外線マトリックスセンサの総赤外線放射量が第１の方向に沿って予め設定された放射量閾値未満になるまで徐々に減少したことが検出された場合、第１の走行経路を形成し、前記第１の方向は、前記ユーザが位置している現在の位置から前記送風領域外への方向であるステップを含み、前記第１の走行経路は、前記ユーザが前記ファンから離れる走行経路である。
【００１４】
また、選択可能として、形成された走行経路が前記第１の走行経路である場合、前記走行経路に基づいて前記ファンをスイッチングするように制御するステップは、前記総赤外線放射量が前記放射量閾値未満に維持される時間が予め設定された第１の時間閾値を越えたと判断された場合、前記ファンをスイッチオフするように制御するステップを含む。
【００１５】
さらに、前記変化情況に基づいて前記走行経路を形成するステップは、前記赤外線マトリックスセンサの総赤外線放射量が、第２の方向に沿って徐々に増加し、且つ、予め設定された放射量閾値以上であることが検出された場合、第２の走行経路を形成し、前記第２の方向は、前記送風領域外から前記送風領域内の指定領域への方向であるステップを含み、前記第２の走行経路は、前記ユーザが前記ファンに近づく走行経路である。
【００１６】
また、選択可能として、形成された走行経路が第１の走行経路である場合、前記走行経路に基づいて前記ファンをスイッチングするように制御するステップは、前記総赤外線放射量が前記放射量閾値を越えて維持される時間が予め設定された第２の時間閾値を越えたと判断された場合、前記ファンをスイッチオンするように制御するステップを含む。
【００１７】
さらに、前記赤外線マトリックスセンサにおけるすべての赤外線センサにより、送風領域がＮ個のサブ領域に分割され、前記赤外線センサと前記サブ領域との間は一対一に対応する関係を形成し、
検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から、前記送風領域の境界のサブ領域に変化した場合、前記ユーザの走行方向が第１の方向であると決定し、前記目標サブ領域が、前記送風領域の境界のサブ領域から、指定領域に対応するサブ領域に変化した場合、前記ユーザの走行方向が第２の方向であると決定する。
【００１８】
本願の実施例のファンのスイッチング制御方法によると、ユーザの走行経路に基づいて、ユーザがファンから離れているか、または、ファンに近づいているかを決定することができ、さらに、ファンをスイッチオンするように制御するか、または、スイッチオフするように制御するかを決定することができすることにより、ファンのスイッチング制御が一層インテリジェントかつ柔軟になる。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために、屈んだりしゃがんだりしなければならず、操作が不便になる課題を解決した。
【００１９】
これに対応し、本願の実施例は、ファンのスイッチング制御装置をさらに提供し、当該装置は、ファンの前方に位置しているユーザの走行経路を取得する取得モジュールと、前記走行経路に基づいて前記ファンをスイッチングするように制御する制御モジュールと、を備える。
【００２０】
選択可能として、前記取得モジュールは、ファンに設置された赤外線マトリックスセンサによって、前記ファンに対応する送風領域内の赤外線放射量の変化情況を取得する取得ユニットと、前記変化情況に基づいて前記走行経路を形成する形成ユニットと、を備える。
【００２１】
さらに、前記形成ユニットは、具体的に、前記赤外線マトリックスセンサの総赤外線放射量が第１の方向に沿って予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れる走行経路である。
【００２２】
また、選択可能として、前記制御モジュールは、具体的に、形成した走行経路が前記第１の走行経路であり、且つ、前記総赤外線放射量が前記放射量閾値未満に維持される時間が予め設定された第１の時間閾値を越えたと判断された場合、前記ファンをスイッチオフするように制御する。
【００２３】
さらに、前記形成ユニットは、具体的に、前記赤外線マトリックスセンサの総赤外線放射量が、第２の方向に沿って徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づく走行経路である。
【００２４】
また、選択可能として、前記制御モジュールは、具体的に、形成した走行経路が第１の走行経路であり、且つ、前記総赤外線放射量が前記放射量閾値を越えて維持される時間が予め設定された第２の時間閾値を越えたと判断された場合、前記ファンをスイッチオンするように制御する。
【００２５】
さらに、前記形成ユニットは、さらに、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から、前記送風領域の境界のサブ領域に変化した場合、前記ユーザの走行方向は第１の方向であり、前記目標サブ領域が、前記送風領域の境界のサブ領域から、指定領域に対応するサブ領域に変化した場合、前記ユーザの走行方向は第２の方向であり、前記赤外線マトリックスセンサにおけるすべての赤外線センサにより、前記送風領域がＮ個のサブ領域に分割され、前記赤外線センサと前記サブ領域との間は一対一に対応する関係を形成する。
【００２６】
本願の実施例のファンのスイッチング制御装置によると、ユーザの走行経路に基づいて、ユーザがファンから離れているか、または、ファンに近づいているかを決定することができ、さらに、ファンをスイッチオンするように制御するか、または、スイッチオフするように制御するかを決定することができて、ファンのスイッチング制御が一層インテリジェントかつ柔軟になるようにする。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために、屈んだりしゃがんだりしなければならず、操作が不便になる課題を解決した。
【００２７】
対応するように、本願の実施例は、ファンを提供し、当該ファンは、ファン本体とベースとを備え、前記ファン本体が前記ベースに揺動可能に装着され、前記ファン本体は、赤外線マトリックスセンサとコントローラとを有し、前記赤外線マトリックスセンサは、前記ファンの前方に位置しているユーザが発する赤外線放射を検出し、前記コントローラは、前記赤外線マトリックスセンサによって検出された赤外線放射量に基づいて、前記ファンに対応する送風領域内の総赤外線放射量の変化情況を取得し、前記総赤外線放射量の変化情況に基づいて、前記ファンの前方に位置しているユーザの走行経路を形成し、前記走行経路に基づいて前記ファンをスイッチングするように制御することを特徴とする。
【００２８】
選択可能として、前記コントローラは、具体的に、前記赤外線マトリックスセンサの総赤外線放射量が第１の方向に沿って予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れる走行経路である。
【００２９】
さらに、前記コントローラは、具体的に、形成した走行経路が前記第１の走行経路であり、且つ、前記総赤外線放射量が前記放射量閾値未満に維持される時間が予め設定された第１の時間閾値を越えたと判断された場合、前記ファンをスイッチオフするように制御するステップを含む。
【００３０】
また、選択可能として、前記コントローラは、具体的に、前記赤外線マトリックスセンサの総赤外線放射量が、第２の方向に沿って徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づく走行経路である。
【００３１】
さらに、前記コントローラは、具体的に、形成した走行経路が第１の走行経路であり、且つ、前記総赤外線放射量が前記放射量閾値を越えて維持される時間が予め設定された第２の時間閾値を越えたと判断された場合、前記ファンをスイッチオンするように制御する。
【００３２】
また、選択可能として、前記コントローラは、具体的に、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から、前記送風領域の境界のサブ領域に変化した場合、前記ユーザの走行方向は第１の方向であり、前記目標サブ領域が、前記送風領域の境界のサブ領域から、指定領域に対応するサブ領域に変化した場合、前記ユーザの走行方向は第２の方向であり、前記赤外線マトリックスセンサにおけるすべての赤外線センサは、前記送風領域をＮ個のサブ領域に分割し、前記赤外線センサと前記サブ領域との間は一対一に対応する関係を形成する。
【００３３】
本願の実施例のファンによると、ファン本体に１つの赤外線マトリックスセンサを設置することによって、当該赤外線マトリックスセンサを利用してファンの前方に位置しているユーザの赤外線放射量を検出し、赤外線放射量の変化情況に基づいてユーザの走行経路を決定し、走行経路に基づいてファンをスイッチングするように制御する。本実施例において、ユーザの走行経路に基づいて、ユーザがファンから離れているか、または、ファンに近づいているかを決定することができ、さらに、ファンをスイッチオンするように制御するか、または、スイッチオフするように制御するかを決定することができ、ファンのスイッチング制御が一層インテリジェントかつ柔軟になる。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために屈んだりしゃがんだりしなければならず、操作が不便になる課題を解決した。
【００３４】
これに対応し、本願の実施例は、他のファンのスイッチング制御装置をさらに提供し、当該装置は、メモリと、プロセッサと、メモリに記憶されているプロセッサによって実行可能なプログラムとを含み、前記プロセッサは、本願の実施例に係る前記ファンのスイッチング制御方法を実現する。
【００３５】
また、本願の実施例は、非一時的なコンピュータ読み取り可能な記憶媒体を提供し、前記記憶媒体における指令がサーバ側のプロセッサによって実行される場合、サーバ側が本願の実施例に係る前記ファンのスイッチング制御方法を実現することができる。
【００３６】
また、本願の実施例は、コンピュータプログラム製品を提供し、前記コンピュータプログラム製品における指令がプロセッサによって実行される場合、本願の実施例に係る前記ファンのスイッチング制御方法が実現することができる。
【００３７】
本願の追加の態様および利点は、以下の説明に部分的に説明され、部分的に以下の説明において明確になるか、または、本願の実施によって明らかになる。
【００３８】
以下、本願の実施例または従来技術における技術的手段をより明確に説明するために、実施例または従来技術の説明に使用する必要がある図面を簡単に説明し、以下の説明における図面はただ本願の幾らかの実施例のみであり、当業者にとっては、創造的な工夫をしないで、これら図面に基づいて他の図面を得ることができることは、明らかである。
【図面の簡単な説明】
【００３９】
【図１】本願の実施例に係るファンのスイッチング制御方法のフローチャート模式図である。
【図２】本願の実施例に係るファンスイッチオフ制御方法のフローチャート模式図である。
【図３】本願の実施例に係るＸ方向において送風領域を８個の領域に分割したことを示す図面である。
【図４】本願の実施例に係る在Ｙ方向における送風領域を８個の領域に分割したことを示す図面である。
【図５】本願の実施例に係る送風領域が８×８のサブ領域に分割されたことを示す図面である。
【図６】ユーザがファンから離れていることを示す第１の模式図である。
【図７】ユーザがファンから離れていることを示す第２の模式図である。
【図８】ユーザがファンから離れていることを示す第３の模式図である。
【図９】ユーザがファンから離れているとき、送風領域内の目標サブ領域の位置変化情況を示す模式図である。
【図１０】本願の実施例に係るファンスイッチオン制御方法のフローチャート模式図である。
【図１１】ユーザがファンに近づいていることを示す第１の模式図である。
【図１２】ユーザがファンに近づいていることを示す第２の模式図である。
【図１３】ユーザがファンに近づいていることを示す第３の模式図である。
【図１４】ユーザがファンに近づいていた場合き、送風領域内の目標サブ領域の位置変化情況を示す模式図である。
【図１５】本願の実施例に係るファンのスイッチング制御装置の構成を示す模式図である。
【図１６】本願の実施例に係る取得モジュールの構成を示す模式図である。
【図１７】本願の実施例に係るファンの構成を示す模式図である。
【発明を実施するための形態】
【００４０】
以下、本願の実施例における図面と併せて、本願の実施例における技術的手段を明確かつ完全に説明する。説明した実施例は単に本願の一部の実施例であり、全部の実施例ではないことは明らかである。当業者によって本願における実施例に基づいて創造的な工夫をしないで得えられたすべての他の実施例は、いずれも本願の保護範囲に属する。
【００４１】
以下、図面を参照しながら本願の実施例のファンのスイッチング制御方法、装置、及びファンを説明する。
【００４２】
図１は、本願の実施例に係るファンのスイッチング制御方法のフローチャート模式図である。図１に示したように、当該ファンのスイッチング制御方法は、以下のステップを含む。
【００４３】
Ｓ１０１において、ファンの前方に位置するユーザの走行経路を取得する。
【００４４】
本実施例において、好ましくは、ファン本体に一つの赤外線マトリックスセンサを追加し、当該赤外線マトリックスセンサを利用して、ユーザの送風領域内の総赤外線放射量を検出することができる。さらに、当該総赤外線放射量に基づいて、ファン本体の前方に人間がいるか否かを決定し、ユーザが赤外線マトリックスセンサに対応する送風領域内で走行していると、赤外線マトリックスセンサはユーザが発する総赤外線放射量を検出することができる。本実施例において、ファンに対応する送風領域内の総赤外線放射量の変化情況を取得することができ、変化情況に基づいてユーザの走行経路を形成することができる。
【００４５】
ユーザが遠い所からファンに接近する場合、赤外線マトリックスセンサによって検出される総赤外線放射量は、大きくなり、ユーザの運動方向がファン本体に向いて歩く方向であると見なすことができ、さらに、検出される赤外線マトリックスセンサにおけるそれぞれの赤外線センサの赤外線放射量の変化情況に基づいて、ユーザの運行経路を決定することができる。たとえば、赤外線マトリックスセンサにおける一番外側に位置するセンサによって赤外線放射量が検出され、その後、一番外側から中央のセンサへの方向において、最外側のセンサの赤外線放射量が徐々に減少するとともに、それと隣接する次の一つのセンサの赤外線放射量が徐々に増加し、中央のセンサの赤外線放射量まで徐々に増加し、変化が停止した場合、ユーザが送風領域の外側からファン本体の前方へだんだん歩いていくと見なすことができる。
【００４６】
選択可能として、ファンに一つのカメラを設置して、画像認識技術によってユーザの走行経路を決定してもよい。
【００４７】
ファンに対応する送風領域内の赤外線放射量の変化情況に基づいて、ユーザの走行経路を形成し、当該走行経路に基づいてユーザとファンとの間の相対的位置関係を決定することができ、たとえば、走行経路が、ユーザがファン本体の真ん前からファンの送風領域外へ歩く走行経路であるとすると、ユーザの走行経路が、ユーザがファンから離れる走行経路であると決定することができる。また、たとえば、走行経路が、ユーザがファンの送風領域外からファン本体の真ん前へ入る走行経路であるとすると、ユーザの走行経路が、ユーザがファンに近づいている走行経路であると決定することができる。
【００４８】
Ｓ１０２において、走行経路に基づいてファンをスイッチングするように制御する。
【００４９】
走行経路がユーザがファンから離れている走行経路であるとき、ファンをスイッチオフするように制御することができ、走行経路がユーザがファンに近づいている走行経路であるとき、ファンをスイッチオンするように制御することができる。
【００５０】
本実施例に係るファンのスイッチング制御方法によると、ファンの前方に位置するユーザの走行経路を取得し、走行経路に基づいてファンをスイッチングするように制御する。本実施例において、ユーザの走行経路に基づいて、ユーザが、ファンから離れているか、または、ファンに近づいているかを決定することができ、さらに、ファンをスイッチオン制御するか、または、スイッチオフ制御するかを決定することができ、ファンのスイッチング制御が一層インテリジェントかつ柔軟になる。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために屈んだりしゃがんだりしなければならず、操作を不便になる課題を解決した。
【００５１】
図２は、本願の実施例に係るファンスイッチオフ制御方法のフローチャート模式図である。当該ファンスイッチオフ制御方法は、以下のステップを含む。
【００５２】
Ｓ２０１において、ファンが、スイッチオン状態にある。
【００５３】
ファンに対するスイッチオフ制御の実行を実現するために、ファンはまずスイッチオン状態にある必要がある。
【００５４】
Ｓ２０２において、ファンに設置された赤外線マトリックスセンサに基づいて、ファンに対応する送風領域内の総赤外線放射量の変化情況を取得する。
【００５５】
通常の場合において、赤外線センサは、人間体が放射した赤外線放射量を検出することができる。本実施例において、ファン本体に一つの赤外線マトリックスセンサを追加し、赤外線マトリックスセンサは複数の赤外線センサを含む。ユーザが送風領域内で走行しているとき、赤外線マトリックスセンサによって検出されるユーザの送風領域内での総赤外線放射量も変化が発生されることになる。赤外線マトリックスセンサに基づいて、ファンに対応する送風領域内の総赤外線放射量の変化情況を取得することができる。ファンに設置されたコントローラは、送風領域内の赤外線放射量の変化情況に基づいて、ユーザの走行経路を算出して変換することができる。
【００５６】
Ｓ２０３において、赤外線マトリックスセンサの総赤外線放射量が第１の方向に沿って予め設定された放射量閾値未満になるまで徐々に減少したことが検出された場合、第１の走行経路を形成し、第１の方向は、ユーザが位置している現在の位置から送風領域外への方向である。
【００５７】
本実施例において、一つの放射量閾値を予め設定し、赤外線マトリックスセンサによって検出された総赤外線放射量が当該放射量閾値未満である場合、ファンの前方に人間がいないと見なすことができる。ファンをスイッチオンまたはスイッチオフするように制御するために、ユーザの走行方向を決定する必要がある。
【００５８】
本実施例において、赤外線マトリックスセンサは複数の赤外線センサを含み、赤外線マトリックスセンサにおけるすべての赤外線センサを利用して、図３および図４に示したように、ファン本体の前方の送風領域を、Ｘ、Ｙ方向で複数の領域に分割する。図３は、本実施例に係るＸ方向において送風領域を８個の領域に分割したことを示す。図４は、本実施例に係るＹ方向において送風領域を８個の領域に分割したことを示す。図５は、本願の実施例に係る送風領域が８×８のサブ領域に分割したことを示す。８×８のサブ領域行列は、ＸＹ方向で送風領域を８個の領域に分割して形成したものであり、赤外線マトリックスセンサにおけるすべての赤外線センサは、分割した後のサブ領域と、一対一対応関係を有する。図５に示したように、Ｘ方向は、Ｘ１〜Ｘ８を含み、Ｙ方向は、Ｙ１〜Ｙ８を含む。赤外線マトリックスセンサの総赤外線放射量は、ユーザの身体によってカバーされる複数のサブ領域からの放射量である。それぞれのサブ領域の赤外線放射は、ユーザの移動につれて変化が発生する。
【００５９】
本実施例において、検出された赤外線マトリックスセンサの総赤外線放射量が、第１の方向に沿って予め設定された放射量閾値未満になるまで徐々に減少した場合、さらに、検出されたサブ領域からの最大赤外線放射量に対応する目標サブ領域の位置変化に基づいて、ユーザの走行方向を決定する。検出されたサブ領域からの最大赤外線放射量に対応する目標サブ領域が、ユーザが位置している現在の位置に対応するサブ領域から送風領域の境界のサブ領域に変化する場合、ユーザの走行方向が第１の方向であると決定する。目標サブ領域が、ユーザが位置している現在の位置に対応するサブ領域から送風領域の境界のサブ領域に変化した場合、ユーザが現在の位置からファンの送風領域のカバー範囲を歩き出したと見なすことができ、ユーザの走行過程において、だんだんファンから離れていると見なすことができる。図６〜図８は、ユーザがファンから離れている模式図である。図８に示したように、ユーザが送風領域からだんだん歩き出した後、送風領域内に位置するユーザの身体の部分も少なくなり、ユーザと赤外線マトリックスセンサとの距離も遠くなるため、赤外線マトリックスセンサによって検出された赤外線放射量は弱くなる。
【００６０】
例をあげて説明すると、図９に示したように、図９はユーザがファンから離れているとき、送風領域における目標サブ領域の位置の変化情況を示す模式図である。ユーザが、Ｘ５方向でサブ領域Ｙ４からサブ領域Ｙ１に歩き出しており、サブ領域Ｙ４は、ユーザの現在の位置に対応するサブ領域であり、サブ領域Ｙ１は、送風領域の境界のサブ領域である。ユーザが最初にサブ領域Ｙ４内に位置しているため、サブ領域Ｙ４で検出された赤外線放射量が一番大きく、ユーザがサブ領域Ｙ４からＹ３へ移動し始めると、Ｙ４での赤外線放射量は、小さくなり、Ｙ３に進入したユーザの部分が多くなることに伴い、Ｙ３での赤外線放射が一番大きくなることになり、ユーザが移動し続け、ユーザはサブ領域Ｙ３からだんだん歩き出すことになり、赤外線放射量が大きい状態から小さくなり、これに応じて、次の一つのサブ領域Ｙ２で検出される赤外線放射量がユーザの移動に連れて、上記の法則に従って変化し、ユーザがサブ領域Ｙ１から歩き出すまで、検出された赤外線放射量は予め設定された放射量閾値未満であることになる。
【００６１】
本実施例において、ファン上に設置されたコントローラは、上記目標サブ領域の位置変化情況に基づいて、ユーザの走行方向が第１の方向であると決定することができ、総赤外線放射量と目標サブ領域の位置変化軌跡とに基づいて、第１の走行経路を形成することができる。本実施例において、第１の走行経路は、ユーザがファンから離れる走行経路である。
【００６２】
Ｓ２０４において、総赤外線放射量が放射量閾値未満に維持される時間が予め設定された第１の時間閾値を越えたか否かを判断する。
【００６３】
本実施例において、ユーザが歩き出したところすぐ戻ることによるスイッチオフの情況を回避するために、一つの第１の時間閾値を予め設定する。総赤外線放射量が予め設定された放射量閾値未満である場合、この状態の時間を計測し、総赤外線放射量が放射量閾値未満に維持される時間が予め設定された第１の時間閾値より小さいと、ユーザが確かにファンの送風領域を離れたことを示し、Ｓ２０５を実行する。第１の時間閾値は、１０〜１２０秒であることが好ましい。
【００６４】
Ｓ２０５において、総赤外線放射量が放射量閾値未満に維持される時間が予め設定された第１の時間閾値を越えたと判断された場合、ファンをスイッチオフするように制御する。
【００６５】
本実施例に係るファンスイッチオフ制御方法によると、ファンがスイッチオン状態にあるときに、ファン本体に設置された赤外線マトリックスセンサの総赤外線放射量の変化情況に基づいて、ファンの前方に位置するユーザの走行経路が第１の走行経路であると決定し、第１の走行経路は、ユーザとファンとの間の相対的位置関係がユーザがファンから離れる関係であると、ファンをスイッチオフするように制御することができる。本実施例において、ユーザの走行経路が第１の走行経路であることに基づいて、ユーザがファンから離れると決定することができ、したがってファンをスイッチオフするように制御することを決定することによって、ファンのスイッチオフ制御が一層インテリジェントかつ柔軟になり、ユーザがもはや既存のファンの制御パネルに依存せずにファンをスイッチオフするように制御することができ、既存のファンにおいて、ユーザが制御ボタンを操作するために屈んだりしゃがんだりしなければならず、操作が不便になる課題を解決した。
【００６６】
図１０は、本願の実施例に係るファンのスイッチオン制御方法のフローチャート模式図である。当該ファンのスイッチオン制御方法は、以下のステップを含む。
【００６７】
Ｓ３０１において、ファンが、スイッチオフ状態にある。
【００６８】
ファンをスイッチオンするように制御することを実現するために、ファンはまずスイッチオフ状態にある必要がある。
【００６９】
Ｓ３０２において、ファンに設置された赤外線マトリックスセンサに基づいて、ファンに対応する送風領域内の総赤外線放射量の変化情況を取得する。
【００７０】
Ｓ３０２に関する説明は、上記の実施例のＳ２０２における関連内容の説明を参考することができ、ここでは詳しく説明しない。
【００７１】
Ｓ３０３において、赤外線マトリックスセンサの総赤外線放射量が、第２の方向に沿って徐々に増加し、且つ、予め設定された放射量閾値を越えたことが検出された場合、第２の走行経路を形成し、第２の方向は、送風領域外から送風領域内の指定領域への方向である。
【００７２】
本実施例において、一つの放射量閾値を予め設定し、赤外線マトリックスセンサによって検出された総赤外線放射量が放射量閾値以上である場合、ファンの前方も人間がいることを示す。ファンをスイッチオンまたはスイッチオフするように制御するために、ユーザの走行方向を決定する必要がある。
【００７３】
本実施例において、ファン本体の前方の送風領域を、Ｘ、Ｙ方向で複数の領域に分割し、送風領域を分割した後の過程は、図３〜図５を参考することができる。赤外線マトリックスセンサの総赤外線放射量は、ユーザの身体によってカバーされる複数のサブ領域からの赤外線放射量である。それぞれのサブ領域の赤外線放射は、ユーザの移動に伴い、変化する。
【００７４】
本実施例において、検出された赤外線マトリックスセンサの総赤外線放射量が、第２の方向に沿って予め設定された放射量閾値以上になるまで徐々に増加した場合、さらに、検出されたサブ領域からの最大赤外線放射量に対応する目標サブ領域の位置変化に基づいて、ユーザの走行方向を決定する。検出されたサブ領域からの最大赤外線放射量に対応する目標サブ領域が、送風領域の境界のサブ領域から指定領域に対応するサブ領域に変化した場合、ユーザの走行方向が第２の方向であると決定する。目標サブ領域が送風領域の境界のサブ領域から指定領域に対応するサブ領域に変化した場合、ユーザが送風領域の境界外または遠端からファンの送風領域のカバー範囲内に進入したことを示すため、ユーザの走行の過程でファンに近づいていることを示す。図１１〜図１３は、ユーザがファンに近づいていることを示す模式図である。図１３に示したように、ユーザがだんだん送風領域内に進入すると、送風領域内に位置するユーザの身体の部分が多くなり、また、ユーザと赤外線マトリックスセンサとの間の距離も近くなると、赤外線マトリックスセンサによって検出された赤外線放射量が強くなる。
【００７５】
例示として説明すると、図１４に示したように、図１４はユーザがファンに近づいていた場合き、送風領域における目標サブ領域の位置変化情況を示す模式図である。図１４において、指定領域は、破線ボックス内に含まれた範囲である。Ｙ２方向で、ユーザが、Ｙ２方向でのサブ領域Ｘ８から、Ｙ６方向でのサブ領域Ｘ５まで歩く。ユーザがサブ領域Ｘ８に進入したところ、Ｘ８での赤外線放射量は相対的に小さく、Ｘ８に進入したユーザの部分がだんだん多くなると、Ｘ８上の赤外線放射量が大きくなり、ユーザが移動し続け、ユーザがサブ領域Ｘ８からだんだん歩き出ると、赤外線放射量は大きい状態からだんだん小さくなり、これに応じて、サブ領域Ｘ８と隣接するサブ領域Ｘ７で検出された赤外線放射量はＸ８の変化規律に従って変化し始める。さらに、Ｙ６方向でのサブ領域Ｘ５は、ユーザと赤外線センサとの間の距離が近くなることに伴い、検出された赤外線放射量も大きくなる。
【００７６】
本実施例において、上記目標サブ領域の位置変化情況に基づいて、ファン上に設置されたコントローラは、ユーザの走行方向が第２の方向であると決定することができ、総赤外線放射量と目標サブ領域の位置変化軌跡とに基づいて、第２の走行経路を形成することができる。本実施例において、第２の走行経路は、ユーザがファンに近づいている走行経路である。
【００７７】
Ｓ３０４において、総赤外線放射量が放射量閾値以上に維持される時間が予め設定された第２の時間閾値を越えたか否かを判断する。
【００７８】
本実施例において、一つの第２の時間閾値を予め設定する。総赤外線放射量が予め設定された放射量閾値以上であると、この状態の時間を計測し、総赤外線放射量が放射量閾値以上に維持される時間が、予め設定された第２の時間閾値未満である場合、ユーザが確かにファンの送風領域における指定領域内に進入したことと見なすため、Ｓ３０５を実行する。第２の時間閾値は、１〜５秒であることが好ましい。
【００７９】
選択可能として、ファン本体にＬＥＤランプを設置することができ、ユーザの走行経路が第１の経路であると決定された場合、ＬＥＤランプを点滅させて、ファンをスイッチオンするように制御することをユーザに知らせ、ユーザがＬＥＤランプの点滅を見た後に、ファンをオンにしたくない場合、第２の時間閾値内で現在領域を素早く離れることができることにより、ファンの誤スイッチオンを回避することができる。Ｓ３０５において、総赤外線放射量が放射量閾値以上に維持される時間が予め設定された第２の時間閾値を越えたと判断された場合、ファンをスイッチオンするように制御する。
【００８０】
本実施例に係るファンのスイッチオン制御方法によると、ファンがスイッチオフ状態にあるとき、ファン本体上に設置された赤外線マトリックスセンサの総赤外線放射量の変化情況に基づいて、ファンの前方に位置するユーザの走行経路が第２の走行経路であると決定し、第２の走行経路指示出ユーザとファンとの間の相対的位置関係が、ユーザがファンに近づいている関係であると、ファンをスイッチオンするように制御することができる。本実施例において、ユーザの走行経路が第２の走行経路であることに基づいて、ユーザがファンに近づいていた場合決定することができ、したがってファンをスイッチオンするように制御することを決定することによって、ファンのスイッチオン制御が一層インテリジェントかつ柔軟になり、ユーザがもはや既存のファンの制御パネルに依存せずにファンをスイッチオンするように制御することができ、既存のファンにおいて、ユーザが制御ボタンを操作するために屈んだりしゃがんだりしなければならず、操作が不便になる課題を解決した。
【００８１】
図１５は、本願の実施例に係るファンのスイッチング制御装置の構成を示す模式図である。当該ファンのスイッチング制御装置は、取得モジュール１１と制御モジュール１２とを備える。
【００８２】
取得モジュール１１は、ファンの前方に位置するユーザの走行経路を取得する。
【００８３】
制御モジュール１２は、前記走行経路に基づいて前記ファンをスイッチングするように制御する。
【００８４】
図１６は、本願の実施例に係る取得モジュールの構成を示す模式図である。当該取得モジュール１１は、取得ユニット１１１と形成ユニット１１２とを備える。
【００８５】
取得ユニット１１１は、ファンに設置された赤外線マトリックスセンサに基づいて、前記ファンに対応する送風領域内の赤外線放射量の変化情況を取得する。
【００８６】
形成ユニット１１２は、前記変化情況に基づいて前記走行経路を形成する。
【００８７】
さらに、形成ユニット１１２は、具体的に、前記赤外線マトリックスセンサの総赤外線放射量が第１の方向に沿って、予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れている走行経路である。
【００８８】
さらに、制御モジュール１３は、具体的に、形成された走行経路が前記第１の走行経路であり、且つ、前記総赤外線放射量が前記放射量閾値未満に維持される時間が予め設定された第１の時間閾値を越えたと判断された場合、前記ファンをスイッチオフするように制御する。
【００８９】
さらに、形成ユニット１１２は、具体的に、前記赤外線マトリックスセンサの総赤外線放射量が、第２の方向に沿って徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づいている走行経路である。
【００９０】
さらに、制御モジュール１３は、具体的に、形成した走行経路が前記第１の走行経路であり、且つ、前記総赤外線放射量が前記放射量閾値を越えて維持される時間が予め設定された第２の時間閾値を越えたと判断された場合、前記ファンをスイッチオンするように制御する。
【００９１】
さらに、形成ユニット１１２は、さらに、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から、前記送風領域の境界のサブ領域に変化した場合、前記ユーザの走行方向は前記第１の方向であり、前記目標サブ領域が、前記送風領域の境界のサブ領域から、前記指定領域に対応するサブ領域に変化した場合、前記ユーザの走行方向は前記第２の方向であり、前記赤外線マトリックスセンサにおけるすべての赤外線センサは、前記送風領域をＮ個のサブ領域に分割する。
【００９２】
本実施例に係るファンのスイッチング制御装置によると、ファンの前方に位置するユーザの走行経路を取得し、走行経路に基づいてユーザとファンとの間の相対的位置関係を決定し、当該相対的位置関係に基づいてファンをスイッチングするように制御する。本実施例において、ユーザの走行経路に基づいて、ユーザがファンから離れているか、または、ファンに近づいているかを決定することができ、さらに、ファンをスイッチオン制御するか、または、スイッチオフ制御するかを決定することができ、ファンのスイッチング制御が一層インテリジェントかつ柔軟になる。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために屈んだりしゃがんだりしなければならず、操作が不便になる課題を解決した。
【００９３】
図１７は、本願の実施例に係るファンの構成を示す模式図である。当該ファンは、ファン本体２１とベース２２とを備える。前記ファン本体２１は、前記ベース２２上に揺動可能に装着されている。前記ファン本体２１には、赤外線マトリックスセンサ２１１とコントローラ２１２とを含む。
【００９４】
赤外線マトリックスセンサ２１１は、前記ファンの前方に位置しているユーザが発する赤外線放射を検出する。
【００９５】
コントローラ２１２は、前記赤外線マトリックスセンサによって検出された赤外線放射量に基づいて、前記ファンに対応する送風領域内の総赤外線放射量の変化情況を取得し、前記総赤外線放射量の変化情況に基づいて、前記ファンの前方に位置しているユーザの走行経路を形成し、前記走行経路に基づいて前記ファンをスイッチングするように制御する。
【００９６】
さらに、コントローラ２１２は、具体的に、前記赤外線マトリックスセンサの総赤外線放射量が第１の方向に沿って、予め設定された放射量閾値未満になるまで徐々に減少したことが検出された場合、第１の走行経路を形成し、前記第１の方向は、前記ユーザが位置している現在の位置から前記送風領域外への方向であり、前記第１の走行経路は、前記ユーザが前記ファンから離れている走行経路である。
【００９７】
さらに、コントローラ２１２は、具体的に、形成した走行経路が前記第１の走行経路であり、且つ、前記総赤外線放射量が前記放射量閾値未満に維持される時間が予め設定された第１の時間閾値を越えたと判断された場合、前記ファンをスイッチオフするように制御する。
【００９８】
さらに、コントローラ２１２は、具体的に、前記赤外線マトリックスセンサの総赤外線放射量が、第２の方向に沿って徐々に増加し、且つ、予め設定された放射量閾値以上であることが検出された場合、第２の走行経路を形成し、前記第２の方向は、前記送風領域外から前記送風領域内の指定領域への方向であり、前記第２の走行経路は、前記ユーザが前記ファンに近づいている走行経路である。
【００９９】
さらに、コントローラ２１２は、具体的に、形成した走行経路が前記第１の走行経路であり、且つ、前記総赤外線放射量が前記放射量閾値を越えて維持される時間が予め設定された第２の時間閾値を越えたと判断された場合、前記ファンをスイッチオンするように制御する。
【０１００】
さらに、コントローラ２１２は、具体的に、検出されたサブ領域からの最大赤外線放射量に対応する目標サブ領域の位置変化に基づいて、前記ユーザの走行方向を決定し、前記目標サブ領域が、前記ユーザが位置している現在の位置に対応するサブ領域から、前記送風領域の境界のサブ領域に変化した場合、前記ユーザの走行方向は前記第１の方向であり、前記目標サブ領域が、前記送風領域の境界のサブ領域から、前記指定領域に対応するサブ領域に変化した場合、前記ユーザの走行方向は前記第２の方向であり、前記赤外線マトリックスセンサにおけるすべての赤外線センサは、前記送風領域をＮ個のサブ領域に分割し、前記赤外線センサと前記サブ領域との間は一対一に対応する関係を形成する。
【０１０１】
さらに、当該ファン本体上に一つのドライブをさらに設置してもよく、当該ドライブをコントローラ２１２と接続させて、コントローラ２１２によってスイッチオンが決定される場合に、コントローラ２１２が発するスイッチオン指令に基づいてファンをスイッチオンするように駆動する。または、コントローラ２１２によってスイッチオフが決定された場合に、コントローラ２１２が発するスイッチオフ指令に基づいて、ファンをスイッチオフするように駆動する。
【０１０２】
本実施例に係るファンによると、ファン本体に一つの赤外線マトリックスセンサを設置することによって、赤外線マトリックスセンサを利用してファンの前方に位置するユーザが発する赤外線放射を検出し、赤外線マトリックスセンサによって検出された総赤外線放射量の変化情況に基づいて、ユーザの走行経路を決定し、走行経路に基づいてファンをスイッチングするように制御する。本実施例において、ユーザの走行経路に基づいて、ユーザがファンから離れているか、または、ファンに近づいているかを決定することができ、さらに、ファンをスイッチオンするように制御するか、または、スイッチオフするように制御するかを決定することができ、ファンのスイッチング制御が一層インテリジェントかつ柔軟になる。ユーザの走行経路だけに基づいてファンをスイッチングするように制御することができるので、ユーザがもはや既存のファンの制御パネルに依存せずにファンをスイッチングするように制御することができ、既存のファンにおいて、ユーザが制御ボタンを操作するために屈んだりしゃがんだりしなければならず、操作が不便になる課題を解決した。
【０１０３】
本願の一態様は、上記各実施例に基づいて、他のファンのスイッチング制御装置をさらに提供し、メモリと、プロセッサと、メモリに記憶されているプロセッサによって実行可能なプログラムとを含み、前記プロセッサは、上記の実施例のいずれかに記載のファンのスイッチング制御方法を実行する。
【０１０４】
本願の別の一態様は、非一時的なコンピュータ読み取り可能な記憶媒体を提供し、当該記憶媒体は、実行可能なプログラムコードが記憶し、前記実行可能なプログラムコードは、上記実施例のいずれかに記載のファンのスイッチング制御方法を実行する。
【０１０５】
さらに、本願の他の態様は、コンピュータプログラム製品を提供し、当該コンピュータプログラム製品は、上記実施例のいずれかに記載のファンのスイッチング制御方法を実行する。
【０１０６】
本願の実施例の技術的手段は、その本質または従来技術に対する貢献の部分は、コンピュータソフトウェア製品の形で具現されることができ、当該コンピュータソフトウェア製品は、一つの記憶媒体（たとえば、ＲＯＭ／ＲＡＭ、磁気ディスク、または、光ディスク）中に記憶され、本願の実施例の図１−図２および図１０に記載のファンのスイッチング制御方法における一部または全部のステップを実行するように、端末を制御するためのいくつかの指令が含まれる。
【０１０７】
本明細書において、「一実施例」、「一部の実施例」、「例」、「具体的な例」、或いは「一部の例」などの用語を参考した説明とは、当該実施例或いは例示に合わせて説明された具体的な特徴、構成、材料或いは特性が、本開示の少なくとも１つの実施例或いは例示に含まれることである。本明細書において、上記用語に対する例示的な説明は、必ずしも同じ実施例或いは例示を示すものではない。また、説明された具体的な特徴、構成、材料或いは特性は、いずれか１つまたは複数の実施例又は例において適切に結合することができる。なお、相互に矛盾しない限り、当業者は、本明細書において説明された異なる実施例又は例示、及び異なる実施例又は例示の特徴を結合し、組み合わせることができる。
【０１０８】
なお、「第１」、「第２」の用語は、目的を説明するものに過ぎず、比較的な重要性を指示又は暗示するか、或いは示された技術的特徴の数を黙示的に指示すると理解してはいけない。よって、「第１」、「第２」に限定されている特徴は、少なくとも１つの当該特徴を含むことを明示又は暗示するものである。本発明の説明において、明確且つ具体的な限定がない限り、「複数」とは、少なくとも２つ、例えば、２つ、３つなどを意味する。
【０１０９】
フローチャートにおける、又はここで他の形態で説明された任意のプロセス又は方法は、特定ロジック機能又はプロセスのステップを実現する１つ又は複数の実行可能な指令コードを含むモジュール、セグメント又は一部を表すと理解されてもよい。また、本発明の好ましい実施形態の範囲は、ここで、示された又は検討された順番ではなく、係る機能に応じてほぼ同時の形態又は逆の順番で機能を実行することができる他の実現を含むことができる。これは、当業者であれば理解すべきものである。
【０１１０】
フローチャートで示された又はここで他の形態で説明されたロジック及び／又はステップは、例えば、ロジック機能を実現する実行可能な指令の順番付けられたリストと見なすことができ、任意のコンピュータ読み取り可能な記憶媒体に具体的に実装されて、指令実行システム、装置、又はデバイス（例えばコンピュータに基づいたシステム、プロセッサを含むシステム、又は他の指令実行システム、装置又はデバイスから指令を獲得して指令を実行するシステム）に利用されるか、又はこれらの指令実行システム、装置又はデバイスと組み合わせて利用される。本願明細書において、「コンピュータ読み取り可能な記憶媒体」は、指令実行システム、装置又はデバイスによって、又は、指令実行システム、装置又はデバイスと組み合わせて使用するプログラムを含み、格納、通信、伝播、又は伝送することができる任意の装置であってもよい。コンピュータ読み取り可能な記憶媒体のより具体的な例（非限定的なリスト）として、１つ又は複数の配線を備える電気接続部（電子デバイス）、ポータブルコンピュータディスクカートリッジ（磁気デバイス）、ランダムアクセスメモリ（ＲＡＭ）読み出し専用メモリ（ＲＯＭ）、消去可能なプログラマブル読み出し専用メモリ（ＥＰＲＯＭ又はフラッシュメモリ）、光ファイバデバイス、及びポータブルコンパクトディスク読み出し専用リメモリ（ＣＤＲＯＭ）を含む。また、コンピュータ読み取り可能な記憶媒体は、前記プログラムが印刷され得る紙又は他の適切な媒体であってもよく、これは、例えば、紙や他の媒体を光学的スキャンし、次に編集し、解釈し、又は必要な場合に他の適切な形態で処理して前記プログラムを電子的に取得して、そしてコンピュータメモリに格納するからである。
【０１１１】
なお、本発明の各部分は、ハードウェア、ソフトウェア、ファームウェア、又はこれらの組み合わせによって実現することができる。上記実施形態において、複数のステップ又は方法は、メモリに記憶された且つ適切な指令実行システムによって実行されるソフトウェア又はファームウェアによって実現することができる。例えば、ハードウェアで実現される場合に、もう１つの実施形態と同様に、本分野において周知である、データ信号に対してロジック機能を実現するロジックゲート回路を備える離散ロジック回路、適切な組み合わせのロジックゲート回路を備える特定用途向け集積回路、プログラマブルゲートアレイ（ＰＧＡ）、フィールドプログラマブルゲートアレイ（ＦＰＧＡ）などの当分野の周知技術のうちいずれか１つ又はこれらの組み合わせによって実現することができる。
【０１１２】
通常の当業者であれば、上記の実施例に係る方法に含まれる全部又は一部のステップは、プログラムによってハードウェアを指令することで実行することができると理解することができる。前記プログラムは、コンピュータ読み取り可能な記憶媒体に格納することができ、当該プログラムが実行される場合に、方法の実施例におけるステップの１つ又はそれらの組み合わせが実行される。
【０１１３】
また、本発明の各実施例における各機能ユニットは、１つの処理モジュールに集積されてもよいし、それぞれが個別の物理的存在であってもよいし、２つ以上のユニットが１つのモジュールに集積されてもよい。前記集積モジュールは、ハードウェアの形態で実現されてもよいし、ソフトウェア機能モジュールの形態で実現されてもよい。前記集積モジュールがソフト機能モジュールの形態で実現されるとともに、独立した製品として販売又は使用される場合に、１つのコンピュータ読み取り可能な記憶媒体に記憶されてもよい。
【０１１４】
上記の記憶媒体は、読み出し専用メモリ、磁気ディスク、又はＣＤなどであってもよい。なお、以上、本発明の実施例を示して説明したが、上記実施例は例示するものであって、本発明を制限するものであると理解してはいけない。普通の当業者であれば、本発明の範囲内で上記実施例に対して変更、修正、取り替え、変形を行うことができる。
【０１１５】
上記の開示は、本願のより好ましい実施形態に過ぎず、本願の特許請求の範囲はそれに限定されるものではなく、本願の特許請求の範囲において行われる同等の変更は、依然として本願によってカバーされる範囲内である。
【符号の説明】
【０１１６】
１１  取得モジュール
１２  制御モジュール
１３  制御モジュール
２１  ファン本体
２２  ベース
１１１  取得ユニット
１１２  形成ユニット
２１１  赤外線マトリックスセンサ
２１２  コントローラ
0006968178.tif 000002
【図１】
0006968178.tif 000003
【図２】
0006968178.tif 000004
【図３】
0006968178.tif 000005
【図４】
0006968178.tif 000006
【図５】
0006968178.tif 000007
【図６】
0006968178.tif 000008
【図７】
0006968178.tif 000009
【図８】
0006968178.tif 000010
【図９】
0006968178.tif 000011
【図１０】
0006968178.tif 000012
【図１１】
0006968178.tif 000013
【図１２】
0006968178.tif 000014
【図１３】
0006968178.tif 000015
【図１４】
0006968178.tif 000016
【図１５】
0006968178.tif 000017
【図１６】
0006968178.tif 000018
【図１７】
0006968178.tif 000019